(57)【特許請求の範囲】
【請求項１】
複数の単位電池を直列接続してなる群電池の一方の出力端子と前記各単位電池の一方の出力端子との間に、各単位電池の電圧を測定するための分圧回路を設けたものにおいて、
前記群電池の他方の出力端子と、前記各分圧回路が接続された前記単位電池の一方の出力端子との間に、その分圧回路に直列接続されていない各単位電池を放電させるための強制放電回路を設け、
前記各強制放電回路による各単位電池毎の放電量と、前記各分圧回路による各単位電池毎の放電量とを同一に設定したことを特徴とする群電池の容量平準化回路。
【請求項２】
前記強制放電回路と前記分圧回路とは、共にフォトＦＥＴと抵抗とを直列接続して構成されていることを特徴とする請求項１記載の群電池の容量平準化回路。
【請求項３】
請求項２記載の群電池の容量平準化回路において、
前記強制放電回路は、複数設けられて、前記群電池の出力端子に共通接続される全部の強制放電回路の端末部分が１つに共通ライン化されており、
その共通ラインには、全部の強制放電回路が共有する１つのフォトＦＥＴが配置され、
前記強制放電回路のうち前記共通ラインを除いた部分には、前記フォトＦＥＴがオンしたときに流れる向きと逆向きの電流が、各強制放電回路に備えた抵抗に流れることを阻止するダイオードが設けられたことを特徴とする群電池の容量平準化回路。
【請求項４】
共に同じ単位電池の一方の出力端子に接続された前記分圧回路と強制放電回路との抵抗比を、それら分圧回路と強制放電回路との単位電池のセル数比に一致させたことを特徴とする請求項１〜３のいずれかに記載の群電池の容量平準化回路。
【請求項５】
請求項２〜４のいずれかに記載のものにおいて、全ての分圧回路のフォトＦＥＴのオン時間を同一にしたことを特徴とする群電池の容量平準化回路。
【発明の詳細な説明】
【０００１】
【発明の属する技術分野】
本発明は、複数の単位電池を直列接続して構成される群電池において、各単位電池の容量を平準化するための容量平準化回路に関する。
【０００２】
【従来の技術】
例えば、電気自動車の動力用バッテリーは多数の単位電池を直列接続して所要の高電圧を確保した群電池により構成されている。このような電池システムでは、各単位電池の容量、電圧、温度等にばらつきが生ずると、電池システムの信頼性が低下するおそれがあるため、各単位電池の容量、電圧、温度等の状態を検出して各単位電池が所定の状態にあるか否かを監視するようにしている。
【０００３】
各単位電池の電圧を検出するためには、一般に、図７に示すような構成が利用される。ここで、単位電池は図面の簡略化のために４個のみ図示してあり、各単位電池Ｃ１〜Ｃ４の出力端子と、一方の共通出力線であるグランドラインとの間に抵抗ＲA，ＲBを直列接続してなる分圧回路Ｐ１〜Ｐ４が接続されている。
この構成によれば、各分圧回路Ｐ１〜Ｐ４の抵抗ＲA，ＲB間の共通接続点に現れる電圧Ｖ1〜Ｖ4によって、各単位電池Ｃ１〜Ｃ４の電圧が測定可能である。
【０００４】
【発明が解決しようとする課題】
ところが、上述のように各単位電池Ｃ１〜Ｃ４に分圧回路Ｐ１〜Ｐ４を設けた場合、各単位電池の容量にばらつきが発生し、そのためにシステムの信頼性が低下するという問題がある。その理由は、各分圧回路Ｐ１〜Ｐ４に流れる放電電流ｉ1〜ｉ4にある。すなわち、図７に示すように、放電電流ｉ1 は単位電池Ｃ１ にのみ流れるが、放電電流ｉ2 は単位電池Ｃ１，Ｃ２の双方に流れ、放電電流ｉ3は単位電池Ｃ１，Ｃ２，Ｃ3に流れる…、という関係になっているため、グランドラインにより近い単位電池Ｃ１，Ｃ２…には、より多くの電流が常時流れることになる。このため、グランドラインに近い単位電池ほど容量を低下させてしまうのである。
【０００５】
この場合、過充電が問題とならない種類の電池ならば、容量が最も低下した単位電池Ｃ１が満充電となるように充電し、他の単位電池Ｃ２，Ｃ３，Ｃ４は過充電傾向とすることで、各単位電池Ｃ１〜Ｃ４の容量を平準化することができる。しかし、例えばリチウムイオン電池等の過充電を避けるべき種類の電池では、そのような手法によって各単位電池の容量を平準化することはできない。
【０００６】
本発明は上記事情に鑑みてなされたもので、その目的は、群電池の単位電池の容量を平準化してシステムの信頼性を高めることができる群電池の容量平準化回路を提供することにある。
【０００７】
【課題を解決するための手段とその作用及び効果】
＜請求項１の発明＞
本発明の請求項１に係る群電池の容量平準化回路は、複数の単位電池を直列接続してなる群電池の一方の出力端子と各単位電池の一方の出力端子との間に、各単位電池の電圧を測定するための分圧回路を設けたものにおいて、群電池の他方の出力端子と、各分圧回路が接続された単位電池の一方の出力端子との間に、その分圧回路に直列接続されていない各単位電池を放電させるための強制放電回路を設けたものであり、各強制放電回路による各単位電池毎の放電量と、各分圧回路による各単位電池毎の放電量とを同一に設定したから各単位電池の容量の平準化が達成される。
【０００８】
＜請求項２の発明＞
請求項２の発明は、請求項１記載の群電池の容量平準化回路において、強制放電回路と分圧回路とは、共にフォトＦＥＴと抵抗とを直列接続して構成されているところに特徴を有する。
ここでフォトＦＥＴは、ゲート部に発光及び受光の両ダイオードを配してパッケージ化したものである。従って、フォトＦＥＴのゲート端子は、ドレイン端子と絶縁状態をなし、ゲート電圧がドレイン電圧の影響を受けない。つまり、複数のフォトＦＥＴのドレイン電圧が異なっていても、それらフォトＦＥＴのドライブに必要なゲート電圧は同一であるから、それらの開閉制御を容易に行える。
【０００９】
＜請求項３の発明＞
請求項３の発明は、請求項２記載の群電池の容量平準化回路において、強制放電回路は、複数設けられて、群電池の出力端子に共通接続される全部の強制放電回路の端末部分が１つに共通ライン化されており、その共通ラインには、全部の強制放電回路が共有する１つのフォトＦＥＴが配置され、強制放電回路のうち共通ラインを除いた部分には、フォトＦＥＴがオンしたときに流れる向きと逆向きの電流が、各強制放電回路に備えた抵抗に流れることを阻止するダイオードが設けられたところに特徴を有する。
この構成によれば、全ての強制放電回路に１つのフォトＦＥＴを共有させ、かつ、フォトＦＥＴより安価なダイオードにて各強制放電回路に逆電流が流れることを防いだから、各強制放電回路に対応させて複数のフォトＦＥＴを設けたものに比べて、コストを抑えることができる。
【００１０】
＜請求項４の発明＞
請求項４の発明は、請求項１〜３のいずれかに記載の群電池の容量平準化回路において、共に同じ単位電池の一方の出力端子に接続された分圧回路と強制放電回路との抵抗比を、それら分圧回路と強制放電回路との単位電池のセル数比に一致させたところに特徴を有する。
この構成では、対応し合う分圧回路及び強制放電回路の抵抗比とセル数比とを一致させたから、分圧回路に直列接続された単位電池に流れる電流の大きさと、強制放電回路に直列接続された単位電池に流れる電流の大きさとが同じになる。これにより、分圧回路のオン時間と強制放電回路のオン時間とを同一にするだけで、各単位電池毎の放電量を同じにすることができる。
【００１１】
＜請求項５の発明＞
請求項５の発明は、請求項２〜４のいずれかに記載の群電池の容量平準化回路において、全ての分圧回路のフォトＦＥＴのオン時間を同一にしたところに特徴を有する。
この構成では、全ての分圧回路のフォトＦＥＴのオン時間を同一にしたから、それらの開閉制御が容易になる。
【００１２】
【発明の実施の形態】
＜第１実施形態＞
以下本発明を例えば電気自動車の動力用バッテリーシステムに適用した第１実施形態について図１〜図４を参照して説明する。本発明の群電池に相当するバッテリーＢは、複数の単位電池を直列接続してなり、例えば負極側の出力端子が、グランドラインＧＮＤに接続されている。ここで、単位電池は図面の簡略化のために４個のみ図示してあり、各単位電池Ｃ１〜Ｃ４の例えば正極側の出力端子と、前記したグランドラインＧＮＤとの間に抵抗ＲA，ＲBを直列接続してなる分圧回路Ｐ１〜Ｐ４が接続されている。抵抗ＲA及び抵抗ＲBは各分圧回路Ｐ１〜Ｐ４について同一であって、同一の分圧比が得られるようにしてある。各分圧回路Ｐ１〜Ｐ４における抵抗ＲA，ＲB間の共通接続点は、電圧検出回路１に接続され、ここで、各単位電池Ｃ１〜Ｃ４の電圧ＶC1〜ＶC4が次式に従って検出される。なお、下式においてｋは分圧比で決まる比例常数である。
【００１３】
ＶC1＝ｋ・Ｖ1
ＶC2＝ｋ・（Ｖ2−Ｖ1）
ＶC3＝ｋ・（Ｖ3−Ｖ2）
ＶC4＝ｋ・（Ｖ4−Ｖ3）
【００１４】
また、各分圧回路Ｐ１〜Ｐ４のうち抵抗ＲA と各単位電池Ｃ１〜Ｃ４の正極側の出力端子との間には、スイッチ素子としてのフォトＦＥＴ１１〜１４がドレイン端子を各単位電池Ｃ１〜Ｃ４の出力端子側に配して直列接続されている。ここで、フォトＦＥＴ１１〜１４は、ゲート部に発光と受光の両ダイオードを配してパッケージ化したものである。従って、フォトＦＥＴ１１〜１４のゲート端子は、ドレイン端子と絶縁状態をなし、ゲート電圧がドレイン電圧の影響を受けない。つまり、各フォトＦＥＴ１１〜１４のドレイン電圧が異なっていても、それらをドライブするのに必要なゲート電圧は、全て発光ダイオードの準方向電圧の定格値（１．３Ｖ）に統一され、それらの開閉制御を容易に行える。そして、各フォトＦＥＴ１１〜１４のゲート端子は、スイッチング制御回路５に接続されており、このスイッチング制御回路５からの信号によって開閉制御される。各分圧回路Ｐ１〜Ｐ４の開閉制御パターンは、全て同じとなっており、かつ、図１の右上に示すように、５０％のオンデューディー比となっている。
【００１５】
さて、バッテリーＢの正極側の出力端子と、各単位電池Ｃ１〜Ｃ3の正極側の出力端子との間には、各分圧回路Ｐ１〜Ｐ３に対応した強制放電回路Ｄ１〜Ｄ３がそれぞれ設けられている。これら強制放電回路Ｄ１〜Ｄ３は、限流素子として抵抗ＲC （ＲC1〜ＲC3のいずれか）と、スイッチ素子としてのフォトＦＥＴ２１とを直列接続してなる。
より具体的には、３つの強制放電回路Ｄ１〜Ｄ３は、バッテリーＢの正極側の出力端子に共通接続される端末部分が、１つに共通ライン化されると共に、この共通ラインＬｃの反対側が、各強制放電回路Ｄ１〜Ｄ３毎に対応した分岐ラインＬｂ１〜Ｌｂ３に分けられて、各分圧回路Ｐ１〜Ｐ３のフォトＦＥＴ１１〜１４と抵抗ＲAとの間の共通接続点に接続されている。
そして、共通ラインＬｃには、全部の強制放電回路Ｄ１〜Ｄ３が共有する１つのフォトＦＥＴ２１が配置される一方、各分岐ラインＬｂ１〜Ｌｂ３には、各強制放電回路Ｄ１〜Ｄ３に備えた抵抗Ｒｃ（ＲC1〜ＲC3のいずれか）が、それぞれダイオードＤｉとセットにして配されている。
【００１６】
フォトＦＥＴ２１は、前記した分圧回路Ｐ１〜Ｐ４のフォトＦＥＴ１１〜１４と同じ構成となっており、やはりゲート端子が前記スイッチング制御回路５に接続されている。そして、図１の右上に示すように、フォトＦＥＴ１１〜１４に与えられる開閉制御パターンを反転したものが、スイッチング制御回路５からフォトＦＥＴ２１に与えられる。
【００１７】
ダイオードＤｉは、フォトＦＥＴ２１がオンしたときに流れる向きと逆向きの電流（以下、適宜「逆電流」という）が、各抵抗Ｒｃに流れることを阻止する向きにして、各抵抗Ｒｃに直列接続されている。換言すれば、ダイオードＤｉにより、分圧回路Ｐ１〜Ｐ３側から各抵抗Ｒｃに電流が流れないようにしてある。
【００１８】
なお、図４に示すように、３つの分岐ラインＬｂ１〜Ｌｂ３の共通接続点から２つの分岐ラインＬｂ２，Ｌｂ３へと共通して延びたラインＬｄと、そのラインＬｄからさらに分岐した分岐ラインＬｂ３とに、それぞれダイオードＤｉを配置して、上記逆電流が流れることを阻止する構成としてもよいが、本実施形態のように各分岐ラインＬｂ１〜Ｌｂ３毎にダイオードＤｉを設ければ、後述するように、抵抗ＲC1〜ＲC3の値を厳密に求めるべく、ダイオードＤｉの抵抗値を考慮したときの計算式が、図４に示した場合に比べて間単になる。
【００１９】
各強制放電回路Ｄ１〜Ｄ３の抵抗ＲC1〜ＲC3の値は、以下のように設定してある。即ち、共に同じ単位電池Ｃ１〜Ｃ３の出力端子に接続された一対の分圧回路と強制放電回路（Ｐ１とＤ１、Ｐ２とＤ２、Ｐ３とＤ３。図２及び図３参照）は、それら両回路の抵抗比と、それら両回路に直列接続された単位電池のセル数比とが一致するように設定してある。
【００２０】
具体的には、例えば図２には、単位電池Ｃ１の電圧を測定するための分圧回路Ｐ１と、それに対応する強制放電回路Ｄ１とを抜き出して記載してあり、分圧回路Ｐ１に直列接続された単位電池のセル数は１つであり、強制放電回路Ｄ１に直列接続された単位電池のセル数は３つであるから、両回路Ｐ１，Ｄ１のセル数比は１：３である。従って、抵抗ＲC1は、分圧回路Ｐ１の抵抗（ＲA＋ＲB）に前記セル数比１：３を乗じた値、即ち
ＲC1＝S1・（ＲA＋ＲB）    （ただし、S1=3）
に設定してある。これと同様にして
ＲC2＝S2・（ＲA＋ＲB）    （ただし、S2=1 。図３参照）
ＲC3＝S3・（ＲA＋ＲB）    （ただし、S3=1/3）
に設定してある。
【００２１】
なお、上記抵抗ＲC1〜ＲC3の値をより厳密に求める場合には、各強制放電回路Ｄ１〜Ｄ３のダイオードＤｉの抵抗値Ｒｄを考慮し、以下の３式から抵抗ＲC1〜ＲC3を求めることができる。
ＲC1＝S1・（ＲA＋ＲB）−Ｒｄ
ＲC2＝S2・（ＲA＋ＲB）−Ｒｄ
ＲC3＝S3・（ＲA＋ＲB）−Ｒｄ
【００２２】
本実施形態は以上の構成であり、次にその作用を説明する。
電圧検出回路１を駆動させると、これに伴ってスイッチング制御回路５から全分圧回路Ｐ１〜Ｐ４のフォトＦＥＴ１１〜１４に、５０％のオンデューティー比のオンオフ信号が送られると共に、そのオンオフ信号を反転させた信号が、全強制放電回路Ｄ１〜Ｄ３に共通して設けたフォトＦＥＴ２１ に与えられる。
【００２３】
フォトＦＥＴ１１〜１４がオンしている間は、各分圧回路Ｐ１〜Ｐ４には各単位電池Ｃ１〜Ｃ４の起電力ＶC1〜ＶC4に基づいて微弱な電流が流れ、各抵抗ＲA，ＲB間の共通接続点に現れる電圧Ｖ1〜Ｖ4によって、各単位電池Ｃ１〜Ｃ４の電圧ＶC1〜ＶC4が電圧検出回路１によって検出される。
【００２４】
このとき、フォトＦＥＴ２１はオフしているから、共通ラインＬｃを通って各強制放電回路Ｄ１〜Ｄ３に電流が流れることはない。また、フォトＦＥＴ２１がオフしているために、各強制放電回路Ｄ１〜Ｄ３の各抵抗Ｒｃの両極の電位は、共通ラインＬｃ側より、分圧回路Ｐ１〜Ｐ３に接続された側の方が高くなっているが、各抵抗Ｒｃに直列接続されたダイオードＤｉにて、分圧回路Ｐ１〜Ｐ３側から強制放電回路Ｄ１〜Ｄ３に電流が流れることが防がれる。つまり、各単位電池Ｃ１〜Ｃ４の電圧ＶC1〜ＶC4を検出している間は、強制放電回路Ｄ１〜Ｄ３には電流は流れない。
【００２５】
以下、詳細を分圧回路Ｐ１を例にとって図２を参照しつつ説明すると、検出動作中は、フォトＦＥＴ１１がオンする一方、フォトＦＥＴ２１はオフしているから、分圧回路Ｐ１における電流がその分圧回路Ｐ１に直列接続された単位電池Ｃ１には流れるが、分圧回路Ｐ１に直列接続されていない単位電池Ｃ２〜Ｃ４には流れない。従って、単位電池Ｃ１とそれ以外の単位電池Ｃ２〜Ｃ４との容量に差が生じる。
【００２６】
ところが、フォトＦＥＴ１１がオフに切り替わって単位電池Ｃ１が分圧回路Ｐ１から断絶されると、それに同期してフォトＦＥＴ２１がオンに切り替わり、かつ、フォトＦＥＴ１１に備えた寄生ダイオードによって、単位電池Ｃ２〜Ｃ４が強制放電回路Ｄ１に導通接続される。すると、単位電池Ｃ２〜Ｃ４の起電力ＶC2〜ＶC4に基づき強制放電回路Ｄ１に備えた抵抗ＲC1に電流が流れ、各単位電池Ｃ２〜Ｃ４が放電する。このとき単位電池Ｃ１には強制放電回路Ｄ１における電流は流れず、単位電池Ｃ１は放電しない。ここで、分圧回路Ｐ１と強制放電回Ｄ１とは、抵抗比とセル数比とを一致させてあるから、それら分圧回路Ｐ１に直列接続された単位電池Ｃ１に流れる電流の大きさと、強制放電回路Ｄ１に直列接続された単位電池Ｃ２〜Ｃ４に流れる電流の大きさとが同じになる。しかも、フォトＦＥＴ２１及びフォトＦＥＴ１１は、オン時間が同一であるから、分圧回路Ｐ１と強制放電回路Ｄ１には、同じ大きさの電流が同じ時間だけ流れ、各単位電池Ｃ１〜Ｃ４の放電量は同一になり、もって容量の平準化が図られる。これと同様に分圧回路Ｐ２に直列接続された単位電池Ｃ１，Ｃ２とそれ以外の単位電池Ｃ３，Ｃ４との間、及び、分圧回路Ｐ３に直列接続された単位電池Ｃ１，Ｃ２，Ｃ３とそれ以外の単位電池Ｃ４との間の容量が平準化される。
【００２７】
ところで、本実施形態の回路からフォトＦＥＴを取り除いて図５に示す構成とした場合、例えば、同図の単位電池Ｃ１，Ｃ２の間から右横に延びるラインの断線を想定したとき、抵抗ＲC1，ＲA、ＲBを直列したラインの両端に、バッテリーＢ全体の電圧がかかり、電圧検出回路１が単位電池Ｃ１の電圧を誤検出することが心配される。しかしながら、本実施形態では、図２に示したフォトＦＥＴ１１がオンしているときにはフォトＦＥＴ２１はオフしているから、電圧検出回路１が単位電池Ｃ１の電圧を検出しているときには、抵抗ＲC1，ＲA、ＲBを直列したラインの両端にバッテリーＢ全体の電圧がかかることはなく、電圧検出回路１にて、単位電池Ｃ１の電圧は０ボルトと検出される。そして、この０ボルトと検出したことをもって、断線が生じたことを検出することができる。
なお、電圧検出回路１が停止しているときは、すべてのフォトＦＥＴ１１〜１４，２１はオフするようになっており、これにより、抵抗ＲA、ＲB、ＲCに関する各単位電池Ｃ１〜Ｃ４の放電が完全に防がれる。
【００２８】
このように本実施形態によれば、各強制放電回路Ｄ１〜Ｄ３による各単位電池毎の放電量と、各分圧回路Ｐ１〜Ｐ３による各単位電池毎の放電量とを同一に設定したから各単位電池の容量の平準化が達成される。
換言すると、本実施形態では、分圧回路Ｐ１〜Ｐ３による単位電池Ｃ１〜Ｃ４の放電量の差を、強制放電回路Ｄ１〜Ｄ３による放電にて相殺することで、分圧回路における放電を要因とした単位電池の容量のばらつきを未然に防ぐことができる。従って、それ以外の要因、例えば、劣化等を要因とした単位電池の容量のばらつきを確実に検出することができるという効果を奏する。
【００２９】
また、本実施形態では、全ての分圧回路Ｐ１〜Ｐ４のフォトＦＥＴ１１〜１４のオン時間を同一にしたから、共通したオンオフ信号でもって全てを操作でき、それらの開閉制御が容易になる。しかも、強制放電回路Ｄ１〜Ｄ３のオン時間を分圧回路Ｐ１〜Ｐ４のオン時間と同一にしたから、より一層、開閉制御が容易である。
【００３０】
さらに、本実施形態では、全ての強制放電回路Ｄ１〜Ｄ３に１つのフォトＦＥＴ２１を共有させ、かつ、フォトＦＥＴより安価なダイオードＤｉにて各強制放電回路Ｄ１〜Ｄ３に逆電流が流れることを防いだから、各強制放電回路Ｄ１〜Ｄ３に対応させて複数のフォトＦＥＴを設けたものに比べて、コストを抑えることができる。
【００３１】
＜第２実施形態＞
第２実施形態は、図６に示されており、スイッチング制御回路からフォトＦＥＴに出力する信号の構成が前記第１実施形態と異なる。また、本実施形態の強制放電回路には、ダイオードが備えられていない。その他の構成に関しては、前記第１実施形態と同じであるので、同一部位に関しては、同一符号を付して重複した説明を省略する。
【００３２】
本実施形態のスイッチング制御回路５Ａは、図６の右上に示すように、強制放電回路Ｄ１〜Ｄ３のフォトＦＥＴ２１に対して、分圧回路Ｐ１〜Ｐ４のフォトＦＥＴ１１〜１４に出力するオンオフ信号と、同じ信号（例えば、５０％のオンデューディー比の信号）を出力している。
この構成によれば、分圧回路Ｐ１〜Ｐ４のフォトＦＥＴ１１〜１４がオンして検出動作を行っているときには、強制放電回路Ｄ１〜Ｄ３のフォトＦＥＴ２１もオンし、各強制放電回路Ｄ１〜Ｄ３の各抵抗Ｒｃの両極の電位は、共通ラインＬｃ側が、分圧回路Ｐ１〜Ｐ３に接続された側より高くなる。よって、第１実施形態のようにダイオードを設けなくても、強制放電回路Ｄ１〜Ｄ３の抵抗Ｒｃに逆電流が流れることを防ぐことができる。
このように本実施形態によれば、前記第１実施形態と同様に、各単位電池の容量の平準化が達成されると共に、強制放電回路Ｄ１〜Ｄ３の間でフォトＦＥＴ２１の共有化を図った上で、ダイオードをも設けずに済む。
【００３３】
＜他の実施形態＞
本発明は上記記述及び図面によって説明した実施の形態に限定されるものではなく、例えば次のような実施の形態も本発明の技術的範囲に含まれ、さらに、下記以外にも要旨を逸脱しない範囲内で種々変更して実施することができる。
【００３４】
（１）前記第１及び第２実施形態では、全ての強制放電回路Ｄ１〜Ｄ３にフォトＦＥＴ２１を共有させて設けたが、各強制放電回路Ｄ１〜Ｄ３に別々にフォトＦＥＴを配した構成としてもよい。なお、このようにした場合には、当然、前記第１実施形態におけるダイオードＤｉを設ける必要はない。
【００３５】
（２）前記実施形態では、対応し合う分圧回路Ｐ１〜Ｐ３及び強制放電回Ｄ１〜Ｄ３の抵抗比とセル数比とを一致させたが、例えば、対応し合う分圧回路及び強制放電回路の抵抗比を、それらのセル数比の倍に設定し、分圧回路のオン時間の半分の時間だけ強制放電回路をオンすれば、各単位電池１つ当たりの放電量が同じになる構成としてもよい。
【００３６】
（３）図５に示すように、前記実施形態からスイッチ素子（フォトＦＥＴ）を取り除いて、常に分圧回路と強制放電回路とに微電流が流される構成としてもよい。
【図面の簡単な説明】
【図１】本発明の第１実施形態を示す回路図
【図２】その第１実施形態を示す回路図の一部を抜き出した回路図
【図３】その第１実施形態を示す回路図の一部を抜き出した回路図
【図４】ダイオードの配置の変形例を示す回路図
【図５】本発明の変形例を示す回路図
【図６】本発明の第２実施形態を示す回路図
【図７】従来例を示す回路図
【符号の説明】
１…電圧検出回路
１１〜１４，２１…フォトＦＥＴ
Ｂ…バッテリー（群電池）
Ｃ１〜Ｃ４…単位電池
Ｄ１〜Ｄ３…強制放電回路
Ｐ１〜Ｐ４…分圧回路
ＲA，ＲB，ＲC…抵抗
【図１】
0004022797.tif 000002
【図２】
0004022797.tif 000003
【図３】
0004022797.tif 000004
【図４】
0004022797.tif 000005
【図５】
0004022797.tif 000006
【図６】
0004022797.tif 000007
【図７】
0004022797.tif 000008